(57)【要約】      （修正有） 【課題】リクライニング・デバイスのシート・バック・ブラケットの前後の移動に伴う弾性リップの永久変形を防止し、見映えを維持する。【解決手段】インナ・カバー１１が、シート・バック・ブラケットを外部に突き出させて前後に揺動する切欠き口１４と、前側に離れる切欠きスリット１５を有し、リクライニング・デバイスを内側から覆ってシート・クッションのフレームに支持され、アウタ・カバー１２がシート・クッションおよびリクライニング・デバイスを覆って、シート・クッションのフレームに支持され、弾性リップ１３がのフロント・エンド１６にリテイニング・タブ１７を伸長し、アウタ・カバー１２からインナ・カバー１１の切欠き口１４に向けて突き出されてアウタ・カバー１２に取り付けられ、インナ・カバー１１およびアウタ・カバー１２の取付け状態でインナ・カバー１１の切欠きスリット１５にリテイニング・タブ１７を差し込んで固定する。【選択図】図１
2006346232.tif 000002
【特許請求の範囲】
【請求項１】
インナ・カバーおよびアウタ・カバーで組み立てられ、そのインナ・カバーが、シート・バック・ブラケットを外部に突き出させて前後方向に揺動可能にする切欠き口と、その切欠き口の前側に僅かに離れる切欠きスリットとを有し、そして、リクライニング・デバイスを内側から覆ってシート・クッションのフレームに支持され、アウタ・カバーが、そのインナ・カバーに向い合わせ状態でそのシート・クッションおよびリクライニング・デバイスを外側から覆ってそのシート・クッションのそのフレームに支持され、そして、弾性リップがそれのフロント・エンドにリテイニング・タブを伸長し、そのアウタ・カバーからそのインナ・カバーのその切欠き口に向けて突き出されてそのアウタ・カバーに取り付けられ、そして、そのインナ・カバーおよびアウタ・カバーの取付け状態でそのインナ・カバーのその切欠きスリットにそのリテイニング・タブを差し込んで固定され、そして、そのシート・バック・ブラケットの移動範囲を覆うところの自動車シートに用いるリクライニング・デバイス・カバー。 
【発明の詳細な説明】
【技術分野】
【０００１】
この発明は、自動車シートに用いるリクライニング・デバイス・カバーに関し、詳細には、樹脂インナ・カバーおよび樹脂アウタ・カバーで組み立てられるところの自動車シートに用いるリクライニング・デバイス・カバーに関する。 
【背景技術】
【０００２】
通常、自動車シートでは、リクライニング・デバイスが、フィニッシャ、すなわち、リクライニング・デバイス・カバーで被覆される。そのリクライニング・デバイス・カバーでは、内側からそのリクライニング・デバイスに樹脂インナ・カバーを、外側からそのリクライニング・デバイスに樹脂インナ・カバーをそれぞれ被せ、そして、その樹脂インナ・カバーおよび樹脂アウタ・カバーを互いに突き合わせて組み立てられるところの分割構造が採られる。 
その樹脂インナ・カバーおよび樹脂アウタ・カバーは、それぞれ切欠き口を備え、そして、互いに突き合わせられて組み立てられると、その双方の切欠き口でシート・バック・ブラケット開口を形成し、そして、その開口から外部にそのシート・バック・ブラケットを突き出させてその開口においてそのシート・バック・ブラケットを前後方向に揺動可能にするので、弾性リップが、その切欠き口に突き出されてその樹脂インナ・カバーおよび樹脂アウタ・カバーのそれぞれに取り付けられ、そして、その樹脂インナ・カバーおよび樹脂アウタ・カバーの組立て状態でそのシート・バック・ブラケット開口は、その互いに突き合わせられるその樹脂インナ・カバーのその弾性リップとその樹脂アウタ・カバーのその弾性リップとによって被覆されて閉じられる。 
その弾性リップは、そのシート・バック・ブラケットが前後に揺動されるに伴って引きつれて永久変形され、そのリクライニング・デバイスまわりが見えて見映えが悪く、そして、商品性が下がる。 
【特許文献１】特開２０００−１０２４４２公報
【発明の開示】
【発明が解決しようとする課題】
【０００３】
この発明の課題は、リクライニング・デバイスのシート・バック・ブラケットの前後方向の移動に伴って弾性リップに生ずる引きつれを防止できてその弾性リップの永久変形を未然に防止でき、見映えを維持でき、そして、長期間に亘って商品性を保てるところの自動車シートに用いるリクライニング・デバイス・カバーの提供にある。 
【課題を解決するための手段】
【０００４】
この発明は、インナ・カバーおよびアウタ・カバーで組み立てられ、そのインナ・カバーが、シート・バック・ブラケットを外部に突き出させて前後方向に揺動可能にする切欠き口と、その切欠き口の前側に僅かに離れる切欠きスリットとを有し、そして、リクライニング・デバイスを内側から覆ってシート・クッションのフレームに支持され、アウタ・カバーが、そのインナ・カバーに向い合わせ状態でそのシート・クッションおよびリクライニング・デバイスを外側から覆ってそのシート・クッションのそのフレームに支持され、そして、弾性リップがそれのフロント・エンドにリテイニング・タブを伸長し、そのアウタ・カバーからそのインナ・カバーのその切欠き口に向けて突き出されてそのアウタ・カバーに取り付けられ、そして、そのインナ・カバーおよびアウタ・カバーの取付け状態でそのインナ・カバーのその切欠きスリットにそのリテイニング・タブを差し込んで固定され、そして、そのシート・バック・ブラケットの移動範囲を覆う。 
【発明の効果】
【０００５】
この発明では、その弾性リップがそのフロント・エンドにそのリテイニング・タブを伸長し、そのインナ・カバーおよびアウタ・カバーの取付け状態でそのインナ・カバーのその切欠きスリットにそのリテイニング・タブを差し込んで固定するので、そのシート・バック・ブラケットの前後方向の移動に伴ってその弾性リップに生ずる引きつれが防止され、その弾性リップの永久変形が未然に防止され、見映えが維持され、そして、商品性が長期間に亘って保たれる。 
【発明を実施するための最良の形態】
【０００６】
そのインナ・カバーおよびアウタ・カバーの分割構造でそのインナ・カバーおよびアウタ・カバーは硬質樹脂から成形され、また、その弾性リップはゴムで成形される。 
そのインナ・カバーは、そのシート・バック・ブラケットを外部に突き出させて前後方向に揺動可能にする切欠き口と、その切欠き口の前側に僅かに離れる切欠きスリットとを有し、そして、そのリクライニング・デバイスを内側から覆ってシート・クッションのフレームに支持され、また、その弾性リップは、それのフロント・エンドにリテイニング・タブを伸長し、そのアウタ・カバーからそのインナ・カバーのその切欠き口に向けて突き出されてそのアウタ・カバーに取り付けられ、そして、そのインナ・カバーおよびアウタ・カバーの取付け状態でそのインナ・カバーのその切欠きスリットにそのリテイニング・タブを差し込んで固定され、そして、そのシート・バック・ブラケットの移動範囲を覆う。 
【実施例１】
【０００７】
以下、特定されて図示された具体れに基づいて、この発明の自動車シートに用いるリクライニング・デバイス・カバーを説明するに、図１および図２は、前後調整機構を組み込む乗用車のドライバー・シートに活用されるところのこの発明の自動車シートに用いるリクライニング・デバイス・カバーの具体例１０を示し、そして、そのドライバー・シートは、シート・クッション、インナおよびアウタ・リクライニング・デバイスでそのシート・クッションにヒンジ結合されて支持されるシート・バック、およびそのシート・バックに取り外し可能に取り付けられるヘッドレストなどで組み立てられ、そして、その前後調整機構、すなわち、シート・スライド・アジャスタでその乗用車のフロアに据え付けられる。そして、このドライバー・シートでは、そのシート・クッションの外側面まわりがそのリクライニング・デバイス・カバー１０で仕上げられる。 
【０００８】
そのリクライニング・デバイス・カバー１０は、インナ・カバー１１およびアウタ・カバー１２に分割され、そのアウタ・カバー１２に弾性リップ１３を組み付け、そして、そのドライバー・シートのそのアウタ・リクライニング・デバイスまわりでそのインナ・カバー１１とそのアウタ・カバー１２とを向い合わせて組み立てられるところの分割構造を採る。 
そのインナ・カバー１１およびアウタ・カバー１２は硬質樹脂から成形され、その弾性リップ１３はまた、ゴムから成形される。 
【０００９】
そのインナ・カバーは、そのアウタ・リクライニング・デバイスのシート・バック・ブラケットを外部に突き合わせて前後方向に揺動可能にする切欠き口と、その切欠き口の前側に僅かに離れる切欠きスリットとを有し、そして、そのアウタ・リクライニング・デバイスを内側から覆ってそのシート・クッションのフレームに取り付けられて支持される。 
【００１０】
そのアウタ・カバー１２は、そのインナ・カバー１１に向い合わせ状態でそのシート・クッションおよびアウタ・リクライニング・デバイスを外側から覆ってそのシート・クッションのそのフレームに取り付けられて支持される。 
【００１１】
その弾性リップ１３は、それのフロント・エンド１６にリテイニング・タブ１７を伸長し、そのアウタ・カバー１２からそのインナ・カバー１１のその切欠き口１４に向けて突き出され、多数のビス１９でフランジ１８をそのアウタ・カバー１２に結合されてそのアウタ・カバー１２に取り付けられ、そして、そのインナ・カバー１１およびアウタ・カバー１２の取付け状態でそのインナ・カバー１１のその切欠きスリット１５にそのリテイニング・タブ１７を差し込んで固定され、そして、そのアウタ・シート・バック・ブラケットの移動範囲を覆う。 
【００１２】
したがって、このリクライニング・デバイス・カバー１０では、最初に、そのインナ・カバー１１がそのドライバー・シートにおいてその切欠き口１４から外部にそのアウタ・リクライニング・デバイスのそのアウタ・シート・バック・ブラケットを突き出させ、そして、そのアウタ・リクライニング・デバイスを内側から覆ってそのシート・クッションのそのフレームに取り付けられる。次に、そのアウタ・カバー１２が、予めその弾性リップ１３をビス止めし、そして、そのドライバー・シートにおいてそのインナ・カバー１１に向い合わせ状態でそのシート・クッションおよびアウタ・リクライニング・デバイスを外側から覆ってそのシート・クッションのそのフレームに取り付けられ、そしてその後にその弾性リップ１３のそのリテイニング・タブ１７が外側からそのインナ・カバー１１のその切欠きスリット１５に差し込まれてそのインナ・カバー１１に固定され、そして、そのアウタ・シート・バック・ブラケットの移動範囲を覆う。 
そのようにして、このリクライニング・デバイス・カバー１０は、そのドライバー・シートにおいて組み立てられてそのシート・クッションの外側面まわりを仕上げる。 
【００１３】
このリクライニング・デバイス・カバー１０では、そのアウタ・リクライニング・デバイスのそのアウタ・シート・バック・ブラケットが前後方向に揺動的に移動されるに伴ってその弾性リップ１３に生ずる引きつれが防止され、その弾性リップ１３の永久変形が防止され、それに伴うそのアウタ・リクライニング・デバイスまわりが見えずに見映えが維持され、そして、商品性が長期間に亘って保たれる。勿論、このリクライニング・デバイス・カバー１０は、その弾性リップ１３を適宜に変形してそのインナ・カバー１１に取り付けられてその切欠き口１４を覆ってもかまわない。また、そのアウタ・カバー１２にそのインナ・カバー１１のようにその切欠き口１４が適宜に変形されて切り欠かれてもかまわない。 
【００１４】
先に図面を参照して説明されたところのこの発明の特定された具体例から明らかであるように、この発明の属する技術分野における通常の知識を有する者にとって、この発明の内容は、その発明の性質（ｎａｔｕｒｅ）および本質（ｓｕｂｓｔａｎｃｅ）に由来し、そして、それらを内在させると客観的に認められる別の態様に容易に具体化される。勿論、この発明の内容は、その発明の課題に相応し（ｂｅ  ｃｏｍｍｅｎｓｕｒａｔｅ  ｗｉｔｈ）、そして、その発明の成立に必須である。 
【産業上の利用可能性】
【００１５】
上述から理解されるように、この発明の自動車シートに用いるリクライニング・デバイス・カバーは、インナ・カバーおよびアウタ・カバーで組み立てられ、そのインナ・カバーが、シート・バック・ブラケットを外部に突き出させて前後方向に揺動可能にする切欠き口と、その切欠き口の前側に僅かに離れる切欠きスリットとを有し、そして、リクライニング・デバイスを内側から覆ってシート・クッションのフレームに支持され、アウタ・カバーが、そのインナ・カバーに向い合わせ状態でそのシート・クッションおよびリクライニング・デバイスを外側から覆ってそのシート・クッションのそのフレームに支持され、そして、弾性リップがそれのフロント・エンドにリテイニング・タブを伸長し、そのアウタ・カバーからそのインナ・カバーのその切欠き口に向けて突き出されてそのアウタ・カバーに取り付けられ、そして、そのインナ・カバーおよびアウタ・カバーの取付け状態でそのインナ・カバーのその切欠きスリットにそのリテイニング・タブを差し込んで固定され、そして、そのシート・バック・ブラケットの移動範囲を覆うので、この発明の自動車シートに用いるリクライニング・デバイス・カバーでは、そのリクライニング・デバイスのそのシート・バック・ブラケットが前後方向に揺動的に移動されるに伴ってその弾性リップに生ずる引きつれが防止され、その弾性リップの永久変形が防止され、そのリクライニング・デバイスまわりが見えずに見映えが維持され、そして、商品性が長期間に亘って保たれ、その結果、自動車シートにとって非常に有用で実用的である。 
【図面の簡単な説明】
【００１６】
【図１】乗用車のドライバー・シートに活用されるところのこの発明の自動車シートに用いるリクライニング・デバイス・カバーの具体例を示した分解斜視図である。
【図２】インナ・カバーの切欠きスリットおよび弾性リップのリテイニング・タブまわりを示した分解斜視図である。
【符号の説明】
【００１７】
１１    インナ・カバー 
１２    アウタ・カバー 
１３    弾性リップ 
１４    切欠き口 
１５    切欠きスリット 
１６    フロント・エンド 
１７    リテイニング・タブ 
１８    フランジ 
１９    ビス 
【図１】
2006346232.tif 000003
【図２】
2006346232.tif 000004